(57)【要約】【課題】ケーブルに加わった引張力が心線に伝わるのを防止することのできるケーブル端末構造の提供。【解決手段】心線６の周りを外被５で被覆する。外被５を柔軟で伸びやすい素材から形成する。心線６と外被５との間に編組シールド７を介在させてケーブル４を構成する。外被５の端部外周側に筒状のハトメ８を固定する。ハトメ８の外端部に編組シールド７の外端部を止着する。ケーブル４に加わった引張力を編組シールド７に受け持たせる。心線６に大きな引張力が伝わることがない。【選択図】  図２
2020047477.tif 000002
【特許請求の範囲】
【請求項１】
心線の周りを外被で被覆すると共に、前記心線と前記外被との間に編組シールドを介在させてなるケーブルの端末構造であって、前記外被の端部外周側に筒状のハトメが固定され、該ハトメの外端部に前記編組シールドの外端部が止着されたことを特徴とするケーブル端末構造。
【請求項２】
前記外被は、フッ素樹脂により形成されたことを特徴とする請求項１に記載のケーブル端末構造。
【発明の詳細な説明】
【技術分野】
【０００１】
本発明は、例えば配管の内部を検査するためのカメラなどに接続されるケーブルの端末構造に関するものである。
【背景技術】
【０００２】
一般に、各種機器に接続されるケーブルは、心線の周りを外被で被覆すると共に、その心線と外被との間に編組シールドを介在させた構造とされ、その端末から心線を露出させて機器に接続するようにしている。
【０００３】
ただ、機器に接続したケーブルが引っ張られると、その心線に引張力が作用して断線したり、機器に半田付けされた部分が破損したりするおそれがある。
【０００４】
これに対し、例えば特許文献１は、環状の内部押さえ具１０１をシールド１０２の内側に挿入し、環状の外部押さえ具１０３を外被１０４の外側にはめ込み、シールド１０２と外被１０４を、外部押さえ具１０３と内部押さえ具１０１とで挟み込むようにして、押さえ具を固定した多心ケーブルにおける端末処理構造を開示している（図３参照）。特許文献１の端末処理構造によれば、ケーブルが長さ方向に動かないように外部押さえ具１０３を機器に固定することにより、外部よりケーブルに加わった引張力が心線に伝わりにくくなる。
【先行技術文献】
【特許文献】
【０００５】
【特許文献１】特開２００３−１４２２００号公報（段落番号０００９、００１０、００１９、図４（Ａ））
【発明の概要】
【発明が解決しようとする課題】
【０００６】
ところで、例えば配管の内部を検査するためのカメラなどに接続されるケーブルでは、その柔軟性を高めるために外被を柔軟な素材から構成することがあり、さらに、外被に低摩擦性を有する柔軟なフッ素樹脂を用いて、配管などに挿入する際の内壁面との摩擦力を抑えることがある。
【０００７】
このような柔軟かつ伸びやすい素材で形成した外被を有するケーブルに特許文献１の端末処理構造を採用すると、ケーブルに加えられた引張力を外被に十分に受け持たせることができず、その引張力の多くの部分を外被よりも内側のシールドだけに受け持たせることになる。さらに、外被が引き伸ばされて薄くなることにより、押さえ具による挟み込み力が低下して、押さえ具からシールドが外れるおそれがあり、この場合、引張力の大部分が心線に伝えられて、心線自体の破断や半田付け部分の損傷を生じやすい。
【０００８】
本発明は、ケーブルに加わった引張力が心線に伝わるのを防止することのできるケーブル端末構造の提供を目的とする。
【課題を解決するための手段】
【０００９】
上記目的を達成するために、本発明に係るケーブル端末構造は、心線の周りを外被で被覆すると共に、心線と外被との間に編組シールドを介在させてなるケーブルの端末構造であり、外被の端部外周側に筒状のハトメを固定し、このハトメの外端部に編組シールドの外端部を止着したものである。
【００１０】
上記構成によれば、外被の端部外周側に固定したハトメの外端部に編組シールドの外端部を止着するので、外被が柔軟で伸びやすい素材から形成したものであったとしても、ケーブルに加わった引張力を少なくとも編組シールドに受け持たせることができる。これにより、心線に大きな引張力が伝わるのを防止することができ、心線自体が破断したり半田付け部分が損傷したりするのを防止することができる。
【００１１】
また、外被をフッ素樹脂により形成するようにしてもよい。この構成によると、心線に大きな引張力が伝わるのを防止しつつ、低摩擦性を有する外被を採用することができ、例えば配管に挿入するカメラのケーブルなどに好適に採用することができる。
【発明の効果】
【００１２】
以上のとおり、本発明によると、ケーブルの外被の端部外周側に筒状のハトメを固定して、このハトメの外端部に編組シールドの外端部を止着し、ケーブルに加わった引張力を少なくとも編組シールドに受け持たせるようにしている。これにより、外被を柔軟な素材で形成してケーブルの柔軟性を高めつつ、心線に大きな引張力が伝わるのを阻止して、心線自体の破断や半田付け部分の損傷を防止することができ、例えば配管に挿入するカメラのケーブルなどに好適に採用することができる。
【図面の簡単な説明】
【００１３】
【図１】本発明に係るケーブル端末構造を有する接続部の断面図
【図２】ケーブル端末構造の拡大断面図
【図３】従来のケーブル端末構造を示す図
【発明を実施するための形態】
【００１４】
以下、本発明に係るケーブル端末構造を実施するための形態について、図面を用いて説明する。
【００１５】
図１及び図２に示すように、ケーブル端末構造１は、例えば、配管内部の検査用カメラなどの各種機器から延設された機器側ケーブル２にケーブル接続部３を介して接続されるケーブル４の端末構造であり、そのケーブル４を、フッ素樹脂などの柔軟な素材で形成した外被５で複数本の心線６の周りを被覆すると共に、心線６と外被５との間に編組シールド７を介在させた構造とし、さらに、外被５の端部外周側に筒状のハトメ８を固定して、ハトメ８の外端部に編組シールド７の外端部を止着したものである。
【００１６】
ケーブル接続部３は、円筒状のケース９に基盤１０を収容し、頂部を機器側ケーブル２又はケーブル４が貫通する円錐台状のコーン１１でケース９の両端を塞ぐと共に、ケース９の内部に接着剤を注入して固定した構造とされる。
【００１７】
ケーブル４は、その端部の外被５及び編組シールド７を剥がされて、ケーブル接続部３の内部で複数本の心線６を露出させ、各心線６が基盤１０又は機器側ケーブル２の心線１２に半田付けにより接続されている。
【００１８】
ハトメ８は、外端側に径方向外向きに広がる鍔部１３を有する金属製の筒状とされ、外被５の端部の外周側に加締め固定され、このハトメ８を含むケーブル４の端部外周面が収縮チューブ１４で覆われている。
【００１９】
ハトメ８の鍔部１３の外端面には、外被５から突出する編組シールド７の外端部が半田付けされ、このハトメ８を介して、ケーブル４の端部に編組シールド７の外端部が固定されている。
【００２０】
上記構成によれば、ケーブル４の外被５の端部外周側にハトメ８を固定し、このハトメ８に編組シールド７の外端部を半田付けしているので、外被５が柔軟で伸びやすいものであったとしても、ケーブル４に引張力が加わった際、その引張力の多くの部分を少なくとも編組シールド７に受け持たせることができる。これにより、心線６に大きい引張力が作用するのを阻止して、各心線６の破断や基盤１０又は心線１２との半田付け部位の損傷を防止することができる。
【００２１】
なお、本発明は、上記の実施の形態に限定されるものではなく、本発明の範囲内において、適宜変更を加えることができる。例えば、外被５は、フッ素樹脂に限らず、他の樹脂で形成したものであってもよい。また、ケーブル４は、検査用カメラに接続するものだけでなく、他の機器などに接続するものであってもよい。
【符号の説明】
【００２２】
１    ケーブル端末構造
２    機器側ケーブル
３    ケーブル接続部
４    ケーブル
５    外被
６    心線
７    編組シールド
８    ハトメ
９    ケース
１０  基盤
１１  コーン
１２  心線
１３  鍔部
１４  収縮チューブ
【図１】
2020047477.tif 000003
【図２】
2020047477.tif 000004
【図３】
2020047477.tif 000005